(57)【要約】【課題】デッドボルトの後退動に追従して自動的にラッチの係止が解除され、又はラッチを係止することができること。【解決手段】扉の閉戸時、錠ケース内のラッチバネのバネ力により突出したラッチが、錠ケース内に回動自在に軸支されたラッチストッパーによりロック状態に係止される錠前のラッチ用ストッパー機構に於いて、前記ラッチストッパーは、デッドボルトの解錠時にダルマが回転してデッドボルトが錠ケース内に後退すると、該ラッチストッパーがバネのバネ力に抗して係止解除の方向へ回転するように該デッドボルトに押される受け部を有し、一方、デッドボルトの施錠時にダルマが回転してデッドボルトが錠ケースから突出すると、前記バネのバネ力により該ラッチストッパーが係止方向に回転してラッチの係合受け部に係合するストッパー部を有していることを特徴とする錠前のラッチ用ストッパー機構。【選択図】　図３
2004100401.tif 000002
【特許請求の範囲】
【請求項１】
扉の閉戸時、錠ケース内のラッチバネのバネ力により突出したラッチが、錠ケース内に回動自在に軸支されたラッチストッパーによりロック状態に係止される錠前のラッチ用ストッパー機構に於いて、前記ラッチストッパー８０は、デッドボルトの解錠時にダルマ６１が回転してデッドボルト６２が錠ケース３内に後退すると、該ラッチストッパー８０がラッチストッパー用バネ８１のバネ力に抗して係止解除の方向へ回転するように該デッドボルトのデッド係合部に押される受け部８６を有し、一方、デッドボルトの施錠時に前記ダルマ６１が回転してデッドボルト６２が錠ケース３から突出すると、前記バネ８１のバネ力により該ラッチストッパー８０が係止方向に回転してラッチ５の一方の係合受け部５ｃに係合するストッパー部８５を有していることを特徴とする錠前のラッチ用ストッパー機構。
【請求項２】
請求項１に於いて、ラッチストッパー８０は、デッドボルト６２とラッチ５との間に配設されていることを特徴とする錠前のラッチ用ストッパー機構。
【請求項３】
請求項１に於いて、ラッチストッパー８０は、錠ケースに軸支された環状部８３と、この環状部８３の下部側に設けられ、かつ、錠ケース内に固定されたラッチ支持枠５３の水平上板５３ｂに当接可能な当り部８４と、この当り部８４によりも下方に延伸し、かつ、前記ラッチ支持枠を貫通してラッチ５の上方の係合受け部５ｃと係脱するストッパー部８５と、一方、このストッパー部８５とは逆方向に延伸し、かつ、デッドボルト６２の後退時に該デッドボルトの下部に押される受け部８６とから成ることを特徴とする錠前のラッチ用ストッパー機構。
【請求項４】
請求項１に於いて、錠ケース３内には、把手４と一体の駆動部材１６によって回転する係合板２８と、この係止板と連動すると共に１又は２の係合部３５，３６を有する作動カム３２と、この作動カムが回転すると前記１又は２の係合部との係合関係によりラッチバネ５６のバネ力に抗して係止解除方向又はラッチバネのバネ力により係止方向に回転するラッチ係止部材４０が組み込まれていることを特徴とする錠前のラッチ用ストッパー機構。
【請求項５】
請求項１に於いて、駆動部材１６は、錠ケースに軸着された把手の軸受け部材１１Ａに固定される幅広基部１７と、この幅広基部１７の先端縁から水平方向にバー状に延びた駆動アーム部１８とから成り、前記駆動アーム部の先端部が係合板２８に係合していることを特徴とする錠前のラッチ用ストッパー機構。
【発明の詳細な説明】
【０００１】
【発明の属する技術分野】
本発明は、錠前のラッチ用ストッパー機構に関する。
【０００２】
【従来の技術】
錠前用ラッチの係止解除機構又は係止機構に関する実施例は、例えば先願の特願２００１−３３４２５８号に記載されている（現在、未公開の出願中）。この実施例は、錠箱内に軸支され、かつ、上方の第１受部と下方の第２受部とを有する駆動部材と、この駆動部材とラッチとの間に位置するように錠箱内に軸支され、かつ、先端部側にラッチの後端部側と係脱する突起状の係止部を有すると共に、後端部側の立ち上がり部に前記駆動部材に設けた押圧部と摺接する摺接部分を有する係脱部材（ラッチ係止部材）とから構成されている。
【０００３】
この錠前用ラッチの係止機構は、扉の閉戸時、錠ケース内のラッチバネのバネ力により突出したラッチを、サムターン等の操作部材の操作によって駆動する駆動部材を介し、従動部材としてのラッチ係止部材をラッチに係合する方向へと回転させる。このラッチの係止機構は、閉戸時、ラッチの後退を阻止する第１次的なストッパー（ロック手段）の役割を果す。
【０００４】
ところで、現在、操作部材、駆動部材、従動部材というような順序によらず、これとは別に、又はこの第１次的なラッチ用ストッパー機構に加味し、デッドボルトの後退動を利用した錠前のラッチ用ストッパー機構の出現が要望されている。何故ならば、デッドボルトの後退動に追従して自動的にラッチの係止が解除され、又はラッチを係止することができれば、非常に便利であると共に、錠前の構造如何によってはラッチを二重にストッパー（二重ロック）することができるからである。
【０００５】
【発明が解決しようとする課題】
本発明の第１の目的は、デッドボルトの後退動に追従して自動的にラッチの係止が解除され、又はラッチを係止することができる新規なラッチ用ストッパー機構を提案すること。第２の目的は、部品点数を増やさないで第１の目的を達成することができること。第３の目的は、ラッチを二重にストッパー（二重ロック）することができること。第４の目的は、各部材を合理的に組み合わせ、錠ケースの内部空間を有効的に活用することである。
【０００６】
【課題を解決するための手段】
本発明の錠前のラッチ用ストッパー機構は、扉の閉戸時、錠ケース内のラッチバネのバネ力により突出したラッチが、錠ケース内に回動自在に軸支されたラッチストッパーによりロック状態に係止される錠前のラッチ用ストッパー機構に於いて、前記ラッチストッパー８０は、デッドボルトの解錠時にダルマ６１が回転してデッドボルト６２が錠ケース３内に後退すると、該ラッチストッパー８０がラッチストッパー用バネ８１のバネ力に抗して係止解除の方向へ回転するように該デッドボルトのデッド係合部に押される受け部８６を有し、一方、デッドボルトの施錠時に前記ダルマ６１が回転してデッドボルト６２が錠ケース３から突出すると、前記バネ８１のバネ力により該ラッチストッパー８０が係止方向に回転してラッチ５の一方の係合受け部５ｃに係合するストッパー部８５を有していることを特徴とする。
【０００７】
上記構成に於いて、ラッチストッパー８０は、錠ケースに軸支された環状部８３と、この環状部８３の下部側に設けられ、かつ、錠ケース内に固定されたラッチ支持枠５３の水平上板５３ｂに当接可能な当り部８４と、この当り部８４によりも下方に延伸し、かつ、前記ラッチ支持枠を貫通してラッチ５の上方の係合受け部５ｃと係脱するストッパー部８５と、一方、このストッパー部８５とは逆方向に延伸し、かつ、デッドボルト６２の後退時に該デッドボルトの下部に押される受け部８６とから成ることを特徴とする錠前のラッチ用ストッパー機構。
【０００８】
【発明の実施の形態】
図１乃至８図は、本発明の一実施例を示す各説明図である。図１は本発明の実施環境を示す平面からの説明図である。図１では本発明に使用されているラッチの一例を斜視図で示す。
【０００９】
まず、図１を参照に説明する。１は水平方向に開閉する扉である。扉１は、例えばアルミ型材の門扉であり、該門扉１の取付け端部は塀間に設けた柱に枢着されている。もちろん、扉１は躯体（建物）の玄関口に設けたものであっても良く、門扉に限らない。
【００１０】
２は錠前の一例としてのプッシュプル錠で、このプッシュプル錠２は扉１の開閉端部の適宜箇所に取付けられている。プッシュプル錠２は、普通一般に扉１の内外に取付けられるが、本実施例では、扉１の内側に取付けられている一例を示す。
【００１１】
３は錠ケースで、この錠ケース３の一側壁にプッシュプル方式の板状把手４が取付けられている。５は反転式のラッチで、このラッチ５は対向する扉６或いは躯体に設けられた受け具（例えばトロヨケ，ストライク）７に係脱する。８は把手を貫通して錠ケース３に取付けられたサムターンである。
【００１２】
ここでラッチ５の構成について説明する。５ａはストライク７ａの開口縁と摺接する垂直状態の衝止面である。５ｂ，５ｂは、ラッチ５の菱形状上下面からそれぞれ突出する突起軸で、これらの突起軸はラッチが水平状態で回転する際、回転軸の機能を果す。５ｃ，５ｃはラッチの二股状の後端部に突設する係合受け部で、本実施例では上方の係合受け部５ｃは、施錠時におけるラッチ反転或いは後退防止用ストッパー（以下、ここでは「ラッチストッパー」と称する。）と係合し、一方、下方の係合受け部５ｃは、同じく施錠時におけるラッチの反転或いは後退防止用係止部材（これもラッチストッパーであるが、以下、ここでは両者を区別する意味で「ラッチ係止部材」と称する）と係合する機能を有する。
【００１３】
５ｄはラッチの後端部に形成されたラッチバネ用の収納切欠部で、この収納切欠部５ｄには、例えばバネ受板が入り込んでいる。５ｅは衝止面５ａと鋭角（例えば４８度）で交差する当接斜面で、この当接斜面５ｅは扉閉戸時にストライク７ａの他方の縁部に当接すると、ラッチ５が後退しながら反転方向に回転するのを許容する。
【００１４】
なお、本実施例では、説明の便宜上、前記突起５ｂ，５ｂを基準として前側をラッチの先端部、後側をラッチの後端部として説明するが、ラッチの先端部とラッチの後端部とをそれぞれ別体に設計変更し、ラッチの後端部をラッチに連動するスライダー部材にしても良い。
【００１５】
したがって、ラッチの形態如何を問わないが、本発明が錠前のラッチ用ストッパー機構であることから、ラッチ５或いはスライダー部材は、ラッチストッパーとの関係で、一つ又は２つ以上の係合受け部５ｃを有することが必要である。
【００１６】
次に図２を参照に本発明の関連部材について説明する。把手４には、同一構成の上下の軸受け部材１１，１１Ａが所要の間隔を有して対設されている。そして、上方の軸受け部材１１にはバネ受け部材１５が、一方、下方の軸受け部材にはラッチ係止部材用駆動部材１６がそれぞれ一体的に固設されている。
【００１７】
軸受け部材１１，１１Ａは、把手４のサムターン取付け孔９を基準にして把手の内壁面４ａの上下に突出されている。ブロック形状の軸受け部材１１，１１Ａは、錠ケース３の膨出部３ａに形成された上下の嵌合凹所１２，１２Ａにそれぞれ嵌入する上下の軸受け補助板１３，１３Ａを介して錠ケース３に取付けられている。
【００１８】
本実施例では、把手４は軸受け部材１１，１１Ａに形成された長軸孔並びに前記軸受け補助板１３，１３Ａに形成された軸孔にそれぞれ貫通状態に嵌挿された上下の縦軸１４，１４Ａを介し錠ケース３に枢着されている。
図２を参照にすると、１５は上方の軸受け部材１１に固定されたバネ受け部材である。一方、１６は下方の軸受け部材１１Ａに固定された駆動部材である。バネ受け部材１５と駆動部材１６は共にキープレート形状をしている。
【００１９】
ここで図５を参照にしてラッチ係止部材に関連する駆動部材１６について説明する。駆動部材１６は、幅広基部１７と、この幅広基部１７の先端縁の中央部から水平方向にバー状に延びた駆動アーム部１８とから成り、前記幅広基部１７の中央部には短い軸孔１９が形成され、この短軸孔１９の左右に固着具用の取付け孔が形成されている。この点バネ受け部材１５も同様である。また、ここで図５を参照にしてラッチ係止部材に関連する下方の軸受け補助板１３Ａについても説明する。上下の軸受け補助板１３，１３Ａも同一の構成である。
【００２０】
下方の軸受け補助板１３Ａは、垂直板部２１と、この垂直板部２１の上下端部を対向状態に折り曲げ形成した軸受け板部２２，２２とから成り、前記垂直板部２１の下部（引っ繰り返した時は下部）には、駆動部材１６の駆動アーム部１８が貫通する水平案内長孔２３が形成され、この水平案内長孔２３の上方には合計２個の固着具用の貫通孔２４が形成されている。
【００２１】
また軸受け板部２２，２２の中央部には軸孔２５，２５がそれぞれ形成されている。上下の縦軸１４，１４Ａは、本実施例では少なくとも軸受け補助板１３Ａ（１３）の上下の軸孔２５，２５にそれぞれ嵌め込まれる。なお、前記バネ受け部材１５のアーム部１８Ａは錠ケース３のバネ収納部内に設けられた把手復帰用バネ２６に当接している（図２参照）。また、バネ受け部材１５、駆動部材１６は図示しない固着具を介して対応する軸受け部材１１，１１Ａの一側面にそれぞれ固着されている。
【００２２】
図５を中心にラッチ係止部材４０に関連する各部材について説明する。前述した駆動部材１６と、この駆動部材によって回転する係合板２８と、この係止板と連動する作動カム３２と、この作動カムによって係合解除方向にラッチバネ５６のバネ力に抗して回転するラッチ係止部材４０は、第１次的にラッチの係止解除機構を構成する。換言すれば、これらの各部材の作動態様が逆になると、ラッチ５はラッチ係止部材４０に係止されるので、見方を変えると、駆動部材１６、係止板２８、作動カム３２、ラッチバネ５１、ラッチ係止部材４０は、一つのラッチストッパー機構を構成する。
【００２３】
そこで、駆動部材１６によって回転する係合板２８と、該係合板によって同方向に回転する作動カム３２について説明する。円形の係合板２８は、錠ケース３の円形嵌合溝状の案内部に回転自在に嵌め込まれている。また係合板２８は、周縁部の一部に切欠部２８ａを有すると共に、一側面から水平方向に突出する角型の水平作動軸２９を備えている。駆動部材１６の駆動アーム１８は、下方の軸受け補助板１３Ａの水平案内長孔２３等を貫通した状態で係合板２８の切欠部２８ａに係合している。
【００２４】
係合板２８と一体の作動軸２９は、錠ケース３の第１・第２支持体３０，３１に軸支された内側作動カム３２の筒状部３３の角孔３４に嵌入している。作動カム３２は、図４で示すようにラッチ支持枠５３の背板５３ａと腕状のラッチ係止部材４０との間に配設されている。
【００２５】
しかして、作動カム３２は、筒状部３３の外周壁から上方に突起（指）状に延びた第１係合部３５と、この第１係合部３５の下部ないし筒状部の外周壁の一部に突起状に連設する第２係合部３６とを有している。
【００２６】
４０は錠ケース３内の第１・第２支持体３０，３１に横設軸架された固定軸５０に軸支された腕状或いはアングル状のラッチ係止部材４０である。ラッチ係止部材４０は、基本的には左右一対の腕状係合板４１，４１と、腕状係合板４１，４１の先端部側下部を連結する或いは連設する板状連結部４２とから成る。
【００２７】
本実施例に関係があるのは、一方（図５で言えば左側）の腕状係合板４１のみである。他方の腕状係合板４１は、外側用作動カム３２Ａと関係する。しかして、ラッチ係止部材４０は、中央部に固定軸用の軸孔４３を有し、この軸孔４３を基準にして水平方向に延びる水平腕部４４の先端部には、ラッチ５の下方（他方）の係合受け部５ｃと係脱する左右一対の係止部４５，４５が突出形成されている。また軸孔４３を基準にして垂直方向に延びる垂直腕部４６の上端部には、左右一対の平面Ｌ型状及び平面逆Ｌ型状第１被係合部４７，４７が折り曲げ形成されている。
【００２８】
さらに、前記水平腕部４４の後端部（軸孔４３付近）上面には、作動カムの第２係合部３６と係合する受板状の第２被係合部４８が設けられている。ラッチ係止部材用付勢バネ５１は固定軸５０に巻装され、ラッチ係止部材４０の係止部（先端部）４５がラッチ５の下方の係合受け部５ｃに係合するように常時付勢する。
【００２９】
ここで、図４を参照にしてラッチ支持枠５３について説明する。ラッチ支持枠５３は、断面コ字型状に形成され、錠ケース３のフロント（前板も含む）５４に形成した開口５５に向かって固定的に配設されている。ラッチ支持枠５３内には、ラッチバネ５６が設けられている。ラッチバネ５６の先端部はラッチ５の後端部に直接又は間接的に圧接し、一方、バネの後端部はラッチ支持枠５３の背板５３ａの内壁面に圧接している。
【００３０】
またラッチ支持枠５３内には、ラッチ５の後端部が位置し、その下方係合受け部５ｃは、ラッチ支持枠５３の水平下板５３ｂにラッチの後退方向に一部形成したラッチ係止部材用切欠部（下方切欠部）５７に臨んでいる。一方、ラッチ５の上方（一方）の係合受け部５ｃは、ラッチ支持枠５３の水平上板５３ｂにラッチの後退方向に一部形成したラッチストッパー用切欠部（上方切欠部）５８に臨んでいる。さらに、ラッチ支持枠５３の先端部内にはラッチ５の突起軸５ｂ，５ｂが位置している。したがって、ラッチ５はラッチ支持枠５３の前記水平下板５３ｂと水平上板５３ｂに支持さている。
【００３１】
ここで、図２に仮想線で示した第１支持体３０と第２支持体３１について簡単に説明する。第１支持体３０は錠ケース３の肉厚部３ａの内壁面に固定される。第１支持体３０は上端部を適宜に折り曲げた板状体であり、いわゆるケース身的機能を発揮する。一方、第２支持体３１は第１支持体３０に所要間隔を有して対向し、いわゆるケース蓋的機能を発揮する。本実施例では、駆動部材１６及び係合板２８を除き、以下に説明するダルマ、デッドボルト、ラッチストッパーなど各部材が取付けられている。
【００３２】
図２乃至図８を参照に本発明の主要部について説明する。なお、本発明の特定事項に関係のない構成部分については詳細な説明を省略する。
【００３３】
６１はサムターン等の操作によって回転するダルマ（デッドボルト用駆動体）、６２はデッドボルト（第１施錠片）、６３はデッドボルトに組み合わせられた鎌片（第２施錠片）、６４はデッドボルト付勢用のデッドバネである。
【００３４】
まずこれらの部材を簡単に説明する。ダルマ６１は第１支持体３０の嵌合軸孔６５に回転自在に嵌合する。ダルマ６１の駆動腕６６はデッドボルト６２の後端部６２ａの対向切欠係合面に選択的に係合する。これによりデッドボルト６２は第１支持体３０の二つの水平案内部６７，６７にそれぞれ案内される可動軸（一つはバネ軸としての機能）６８，６８を介して水平方向に進退動する。
【００３５】
デッドバネ６４は端面Ｕ字型のデッドボルト６２に内装され、その中央部は下方のバネ軸６８に巻装されている。そして、一端部はデッドボルト６２に形成されたバネ受け部６９に、一方、その他端部はダルマ６１の駆動腕６６に段差状に連設する山形状のバネ受け部７０にそれぞれ支持されている。デッドバネ６４はデッドボルト６２と共に移動するようにデッドボルト６２に装着されているから、クリック機能を有するデッドバネ６４の他端部は常時ダルマ６１のバネ受け部７０に乗っかっている。
【００３６】
鎌片６３は、その後端部６３ａが第１支持体３０の上端部の突起軸７１に軸支されていると共に、デッドボルト６２の先端部寄りの部位に横設した係合ピン７２及び鎌片６３の中央部に形成した長孔７３を介し、デッドボルト６２に連動するように組み合わせられている。
【００３７】
したがって、鎌片６３はデッドボルト６２がフロント５４を基準に突出（進出）すると、突起軸７１を支点に回転して受け具に掛合する。これに対し、鎌片６３はデッドボルト６２が錠ケース３内に後退すると、係合ピン７２を介して係合解除の方向へと引き戻される格好となる。
【００３８】
次にラッチストッパー８０、ラッチストッパー用バネ８１等について説明する。図６を参照にすると、ラッチストッパー８０はケース身的第１支持体３０の左縁寄りの部位に突設された支軸８２に回転自在に支持されている。
【００３９】
しかして、ラッチストッパー８０は、前記支軸８２が貫通する内外一対の環状部８３と、この環状部８３の前方側下部の一部を連結或いは連設し、かつ、ラッチ支持枠５３の水平上板５３ｂに当接可能な当り部８４と、この当り部８４によりも下方に延伸し、かつ、ラッチ支持枠５３の上方切欠部５８を貫通してラッチ５の上方の係合受け部５ｃと係脱する内外のストッパー部８５と、一方、このストッパー部８５とは逆方向（上方）に延伸し、かつ、デッドボルト６２の後退時に該デッドボルトの下部に形成したデッド係合部（例えば切欠端面）７５に押される内外の指状受け部８６とから成る。
【００４０】
なお、本実施例では、ラッチストッパー８０は、左右勝手を考慮して形成されているので、ラッチ５の上方の係合受け部５ｃに係脱するのは一つのストッパー部８５（図６では手前ではなく、内側のストッパー部）である。またラッチストッパー用バネ８１の中央部は支軸８２に巻装され、一端部はラッチストッパー８０の当り部８４に、一方、他端部はラッチ支持枠５３の水平上板５３ｂにそれぞれ支持されている。
【００４１】
次に本発明の特定要件に関連する作用について説明する。まず、ラッチストッパー８０とラッチとの係脱について説明する。解錠時の図８で示すように、サムターンの操作により、ダルマ６１が時計方向へと回転し、その結果、デッドボルト６２が錠ケース３内に後退すると、デッドボルト６２のデッド係合部７５がラッチストッパー８０の指状受け部８６に当る。この時デッドボルト６２が所定の位置まで後退すると、切欠端面７５に押されたラッチストッパー８０は、バネ８１のバネ力に抗してかつ支軸８２を支点にしながら係止解除の方向（時計方向）へと回転する。
【００４２】
一方、施錠時の図７で示すように、ダルマ６１が反時計方向へと回転し、その結果、デッドボルト６２が錠ケース３から進出すると、デッドボルト６２のデッド係合部７５がラッチストッパー８０の指状受け部８６から離れる。この時デッドボルト６２が所定の位置まで突出すると、切欠端面７５から開放されたラッチストッパー８０は、そのバネ８１のバネ力によって支軸８２を支点にしながら係止方向（反時計方向）へと回転する。その結果、ラッチストッパー８０のストッパー部８５がラッチ５の上方の係合受け部５ｃに係合する。これにより、ラッチ５は扉が仮に厚さ方向へガタガタ動いても、後退或いは反転方向への動きが規制される（第１のラッチスッパー機能）。
【００４３】
次に図３乃至図５を参照にしてラッチ係止部材４０とラッチ５の関係を説明する。本発明の錠前のラッチ用ストッパー機構は、プッシュプル錠に適用したので、ラッチ５は、把手４を扉１側にプッシュ（押す操作）した場合又は把手４を扉１から離れるようにプル（引く操作）した場合にラッチ係止部材４０から開放される。
【００４４】
そこで、今仮に把手４を扉１側に押した場合を前提として説明する。把手４をプッシュ（押す操作）すると、駆動部材１６は縦軸１４Ａを中心に図５の矢印Ａ方向へと水平回転する。そうすると、係合板２８は、図５の矢印Ｂ方向（時計方向）へ回転し、内側の作動カム３２は作動軸２９を介して係合板２８と同じ方向（矢印Ｃ方向）回転する。この時作動カムの指状第１係合部３５はラッチ係止部材４０の上方の第１被係合部４７から離れるが、その下方の第２係合部３６はラッチ係止部材４０の第２被係合部４８を押す。
【００４５】
その結果、ラッチ係止部材４０は固定軸５０を支点に付勢バネ５１のバネ力に抗して係合解除方向に回転する。本実施例では、一つの駆動部材１６が左右に揺動すると、一つ係合板２８及びこれに連動する一つ作動カム３２を介して１又は２以上の被係合部４７，４８を有するラッチ係止部材４０が係合解除の方向へ回転する。
【００４６】
一方、扉１を閉めて把手４から手を放すと、バネ受け部材１５は把手復帰用バネ２６のバネ力により元の位置へ自動的に戻る。この時、駆動部材１６も元の位置に戻る。駆動部材１６が元の位置に戻ると、駆動部材１６、係合板２８、作動カム３２はそれぞれ前記矢印Ａ，Ｂ，Ｃとは逆方向（反時計方向）へ回転するので、ラッチ係止部材４０は付勢バネ５１のバネ力により、ラッチ５を係止する方向へと回転する。
【００４７】
その結果、ラッチ係止部材４０の係止部４５がラッチ５の下方の係合受け部５ｃに係合する。これにより、ラッチ５は後退動が規制される（第２のラッチストッパー機能）。それ故に、本実施例のラッチ５は、施錠時、ラッチストッパー８０とラッチ係止部材４０の二つの部材により二重ロックされる。
【００４８】
【実施例】
本発明は、施錠時、ラッチストッパー８０とラッチ係止部材４０の二つの部材によりラッチを二重ロックすることが主たる目的ではない。本発明の第１の目的は、デッドボルトの後退動に追従して自動的にラッチの係止が解除され、又はラッチを係止することができる新規なラッチ用ストッパー機構を提案することであるから、ラッチストッパー８０が発明の特定要件であって、ラッチ係止部材４０は発明の従属的な要件である。
【００４９】
【発明の効果】
以上の説明から明らかなように、本発明にあっては、次に列挙するような作用・効果がある。
（１）デッドボルトの後退動に追従して自動的にラッチの係止が解除され、又はラッチを係止することができる。
（２）部品点数を増やさないで第１の目的を達成することができる。
（３）請求項２及び請求項３に記載の発明は、各部材を合理的に組み合わせ、錠ケースの内部空間を有効的に活用することができる。
（４）請求項４及び請求項５に記載の発明は、ラッチを二重にストッパー（二重ロック）することができる。
【図面の簡単な説明】
図１乃至図８は本発明の一実施例を示す各概略説明図。
【図１】実施環境を平面から示した説明図（なお、ラッチは斜視図）。
【図２】把手を錠ケースに枢着した状態の縦概略断面説明図。
【図３】主要部の概略説明図。
【図４】要部の概略説明図。
【図５】ラッチ係止部材を中心とした各部材の分解斜視図。
【図６】施錠時におけるラッチストッパーの係止状態を示す概略説明図。
【図７】ラッチストッパーを中心とした各部材の分解斜視図。
【図８】ラッチストッパーの解除状態を示す概略説明図。
【符号の説明】
１…扉，６…扉（躯体）、２…プッシュプル錠、３…錠ケース、４…把手、４ａ…内壁面、５…ラッチ、５ｃ…係合受け部、７…受け具、８…サムターン、１１，１１Ａ…軸受け部材、１２…上方の嵌合凹所、１２Ａ…下方の嵌合凹所、１３…上方の軸受け補助板、１３Ａ…下方の軸受け補助板、１４，１４Ａ…縦軸、１５…バネ受け部材、１６…駆動部材、１７…幅広基部、１８…駆動アーム部、１９…短軸孔、２１…垂直板部、２２…軸受け板部、２３…水平案内長孔、２５…軸孔、２６…把手復帰用バネ、２８…係合板、２８ａ…切欠部、２９…作動軸、３０…第１支持体、３１…第２支持体、３２…作動カム、３３…筒状部、３４…角孔、３５…第１係合部、３６…第２係合部、４０…ラッチ係止部材、４１…係合板、４２…連結部、４３…軸孔、４４…水平腕部、４５…係止部、４６…垂直腕部、４７…第１被係合部、４８…第２被係合部、５０…固定軸、５１…付勢バネ、５３…ラッチ支持枠、５４…フロント、５５…開口、５６…ラッチバネ、５７…下方切欠部、５８…上方切欠部、６１…ダルマ、６２…デッドボルト、６３…鎌片、６４…デッドバネ、６５…嵌合軸孔、６６…駆動腕、６７…水平案内部、６８…可動軸（一つはバネ軸）、６９…バネ受け部、７０…バネ受け部、７１…突起軸、７２…係合ピン、７３…長孔、７５…デッド係合部、８０…ラッチストッパー、８１…ラッチストッパー用バネ、８２…支軸、８３…環状部、８４…当り部、８５…ストッパー部、８６…受け部。
【図１】
2004100401.tif 000003
【図２】
2004100401.tif 000004
【図３】
2004100401.tif 000005
【図４】
2004100401.tif 000006
【図５】
2004100401.tif 000007
【図６】
2004100401.tif 000008
【図７】
2004100401.tif 000009
【図８】
2004100401.tif 000010
【手続補正書】
【提出日】平成14年9月25日(2002.9.25)
【手続補正１】
【補正対象書類名】図面
【補正対象項目名】図８
【補正方法】変更
【補正の内容】
【図８】
2004100401.tif 000011